(57)【要約】【課題】従来の装置に比べて、入力データの示す線分を、サイズを維持しつつも、書き換えるドット数の少ない線分に変換して表示することで消費電力を削減する表示装置、表示プログラムを提供する【解決手段】  入力データの示す線分を、サイズが同じで書き換えるドット数の少ない線分に変換して表示することで書き換えの際の消費電力を削減する。具体的には、対象となる線分を、より細い線、中抜き線、破線、より薄い色の線（ドットを間引いた線）に置き換える。【選択図】図３
2014197151.tif 000002
【特許請求の範囲】
【請求項１】
表示内容の書き換えを行う際に、電力を消費し、非書き換え時には電力を消費しない表示部と、
前記表示部に表示させる入力データを取得する取得部と、
制御部と、
を備え、
前記制御部は、前記取得部が取得した前記入力データの示す各線分を、該入力データに従って表示する場合に比べてサイズが同じで書き換えるドット数の少ない線分に変換して前記表示部に表示させる
ことを特徴とする表示装置。
【請求項２】
前記取得部は、手書きによる入力を受け付けて前記入力データを生成する、
ことを特徴とする請求項１に記載の表示装置。
【請求項３】
前記取得部が取得した前記入力データを保存する記憶部を更に備え、
前記制御部は、前記記憶部に保存された前記入力データを読み出して、当該読み出した入力データの示す各線分を、該入力データに従って表示する場合に比べてサイズが同じで書き換えるドット数の少ない線分に変換して前記表示部に表示させる
ことを特徴とする請求項１または２に記載の表示装置。
【請求項４】
前記制御部は、前記線分を、中抜き線、破線、前記線分より薄い色の線、前記線分より細い線のいずれか１つに置き換えることにより、前記変換を行う
ことを特徴とする請求項１乃至３のいずれか１つに記載の表示装置。
【請求項５】
前記線分を、中抜き線、破線、前記線分より薄い色の線、前記線分より細い線のいずれに置き換えるかの指定をユーザから受ける指定部を更に備え、
前記制御部は、前記指定部で受けた指定に従って前記変換を行う
ことを特徴とする請求項４に記載の表示装置。
【請求項６】
前記制御部は、前記入力データの示す各線分を、該入力データに従って前記表示部に表示させる通常表示モードと、前記入力データの示す各線分を、該入力データに従って表示する場合に比べてサイズが同じで書き換えるドット数の少ない線分に変換して前記表示部に表示させる省電力表示モードを切り替える
ことを特徴とする請求項１乃至５のいずれか１つに記載の表示装置。
【請求項７】
前記通常表示モードと、前記省電力表示モードのいずれに切り替えるかの指定をユーザから受けるモード指定部を更に備え、
前記制御部は、前記モード指定部で受けた指定に従って前記通常表示モードと前記省電力表示モードの切り替えを行う
ことを特徴とする請求項６に記載の表示装置。
【請求項８】
電池を電源部として更に備え、
前記制御部は、前記電源部の残容量が所定値以上であれば、前記通常表示モードに、所定値未満であれば前記省電力表示モードに切り替える
ことを特徴とする請求項６に記載の表示装置。
【請求項９】
前記制御部は、前記省電力表示モードで動作するときは、前記表示部に、前記省電力表示モードで動作していることを示す識別情報を表示させる
ことを特徴とする請求項６乃至８のいずれか１つに記載の表示装置。
【請求項１０】
所定の指示を受け付ける指示部を備え、
前記制御部は、前記指示部が所定の指示を受け付けたら、前記表示部に表示されている前記変換後の線分を、一時的に前記変換前の線分に戻して前記表示部に表示させる
ことを特徴とする請求項１乃至７のいずれか１つに記載の表示装置。
【請求項１１】
表示内容の書き換えを行う際に、電力を消費し、非書き換え時には電力を消費しない表示部を備えた情報処理装置を、
前記表示部に表示させる入力データの示す各線分を、該入力データに従って表示する場合に比べてサイズが同じで書き換えるドット数の少ない線分に変換して前記表示部に表示するように動作させる
ことを特徴とする表示プログラム。
【発明の詳細な説明】
【技術分野】
【０００１】
本発明は、表示内容の書き換え量を減らすことで省電力化する表示装置、表示プログラムに関する。
【背景技術】
【０００２】
電子ペーパ等の表示装置に採用される電気泳動方式の表示部には、表示内容の書き換えの時のみ電力を消費し、それ以外の時には電力を消費することなく表示し続けることが可能であるという特徴がある。
【０００３】
図１５は、電気泳動方式の表示部を採用する電子ペーパの構造の一例を示している。透明な電極からなる前面板５１と背面の電極板５２との間にプラスに帯電した黒の電子粉流体５３とマイナスに帯電した白の電子粉流体５４とを封入してある。前面板５１の電圧を背面の電極板５２より高くした部分では白の電子粉流体５４が前面板５１側に移動して白が表示され（図１５（ｂ）参照）、前面板５１の電圧を背面の電極板５２より低くした部分では黒の電子粉流体５３が前面板５１側に移動して黒が表示される（図１５（ａ）参照）。
【０００４】
電子ペーパは、一般的に携帯型の表示端末として使用され、内蔵する電池に電力を蓄え、この電力を消費して動作している。よって、動作時間を延ばす（書き換え可能量を増やす）為には、消費電力をなるべく抑えることが望ましい。たとえば、直ちに電池に充電ができない（もしくは電池の交換ができない）環境にあって電池の残容量が残り少なくなった場合、表示部が消費する電力を省電力化して動作時間を延ばす技術が複数提案されている。
【０００５】
たとえば、特許文献１には、表示文字のサイズを小さくする方法、表示エリアを小さくする方法等により、消費電力を少なくする技術が提案されている（特許文献１参照）。
【０００６】
また、予め省エネルギ用のフォントデータ（サイズの小さいフォント、もしくは細線のフォント）を内部に保存しておき、通常のフォントデータと、省エネルギ用のフォントデータを切り替える技術が提案されている（特許文献２参照）。
【先行技術文献】
【特許文献】
【０００７】
【特許文献１】特開２００５−２１５３３２号公報
【特許文献２】特開２００４−１７８０２９号公報
【発明の概要】
【発明が解決しようとする課題】
【０００８】
特許文献１、２に記載の発明では、省電力表示モード時には、表示される文字のサイズを小さくすることで、書き換え時に反転させるドット数を減らし電力消費量を抑えている。しかし、文字のサイズが小さくなってしまうと、視認性が悪くなるという問題がある。
【０００９】
なお、予め省エネルギ用のフォントを用意する方式では、文字にしか対応できず、任意の図形や手書き線などに対応できないうえ、複数のフォントを用意するため、その分フォントデータの記憶容量が嵩んでしまう。
【００１０】
本発明は、上記の問題を解決するものであり、文字や図形のサイズ（長さ）を維持しつつ、書き換え時の電力消費量を抑えることのできる表示装置、および表示プログラムを提供することを目的としている。
【課題を解決するための手段】
【００１１】
かかる目的を達成するための本発明の要旨とするところは、次の各項の発明に存する。
【００１２】
［１］表示内容の書き換えを行う際に、電力を消費し、非書き換え時には電力を消費しない表示部と、
前記表示部に表示させる入力データを取得する取得部と、
制御部と、
を備え、
前記制御部は、前記取得部が取得した前記入力データの示す各線分を、該入力データに従って表示する場合に比べてサイズが同じでドット数の少ない線分に変換して前記表示部に表示させる
ことを特徴とする表示装置。
【００１３】
上記発明では、電子ペーパのように、表示内容の書き換えを行う際に電力を消費し、非書き換え時には電力を消費しない表示部を備える表示装置において、入力データの示す各線分を、入力データに従って表示する場合のサイズ（長さ）を維持しつつ、書き換えるドット数を減らして（たとえば、実線を破線や細線に変換して）表示することで、当該線分の視認性を確保しつつ書き換えを行う際の消費電力を抑えることができる。入力データは、たとえば、手書き入力や外部の装置から受信することで取得する。
【００１４】
［２］前記取得部は、手書きによる入力を受け付けて前記入力データを生成する、
ことを特徴とする［１］に記載の表示装置。
【００１５】
上記発明では、手書き入力による内容を入力データとする。入力データは、設定されている書式（線の太さ、線種等）に従って作成される。この入力データの示す線分を表示部に表示する場合は、サイズ（長さ）が同じで書き換えるドット数の少ない線分に変換されて表示される。
【００１６】
［３］前記取得部が取得した前記入力データを保存する記憶部を更に備え、
前記制御部は、前記記憶部に保存された前記入力データを読み出して、当該読み出した入力データの示す各線分を、該入力データに従って表示する場合に比べてサイズが同じで書き換えるドット数の少ない線分に変換して前記表示部に表示させる
ことを特徴とする［１］または［２］に記載の表示装置。
【００１７】
上記発明では、取得部が取得した入力データを記憶部に保存する機能と、該記憶部に保存されている入力データを読み出して、その入力データの示す線分を、サイズ（長さ）が同じで書き換えるドット数の少ない線分に変換して表示する機能を有する。すなわち、表示部には変換後の線分が表示されるが、記憶部には変換前の線分（入力データ）が保存されている。
【００１８】
［４］前記制御部は、前記線分を、中抜き線、破線、前記線分より薄い色の線、前記線分より細い線のいずれか１つに置き換えることにより、前記変換を行う
ことを特徴とする［１］乃至［３］のいずれか１つに記載の表示装置。
【００１９】
上記発明では、入力データの示す線分を、より薄い色の線、より細い線、もしくは中抜き線、破線のいずれか１つに置き換える。薄色線の表示を行う場合は、均一にドットを間引くことでコントラストを下げて薄色線を表示する。
【００２０】
［５］前記線分を、中抜き線、破線、前記線分より薄い色の線、前記線分より細い線のいずれに置き換えるかの指定をユーザから受ける指定部を更に備え、
前記制御部は、前記指定部で受けた指定に従って前記変換を行う
ことを特徴とする［４］に記載の表示装置。
【００２１】
上記発明では、ユーザの指示を受けて変換後の線分の線種を決定する。ユーザは、視認が容易な線種を選択することができる。
【００２２】
［６］前記制御部は、前記入力データの示す各線分を、該入力データに従って前記表示部に表示させる通常表示モードと、前記入力データの示す各線分を、該入力データに従って表示する場合に比べてサイズが同じでドット数の少ない線分に変換して前記表示部に表示させる省電力表示モードを切り替える
ことを特徴とする［１］乃至［５］のいずれか１つに記載の表示装置。
【００２３】
上記発明では、通常表示モードと省電力表示モードを切り替える。通常表示モードでは、入力データの示す線分を、該入力データに従って表示部に表示させる。省電力表示モードでは、入力データの示す各線分を、該入力データに従って表示する場合に比べてサイズが同じでドット数の少ない線分に変換して表示部に表示させる。表示内容の視認性を優先する場合は通常表示モード、省電力を優先する場合は省電力表示モードに切り替えればよい。
【００２４】
［７］前記通常表示モードと、前記省電力表示モードのいずれに切り替えるかの指定をユーザから受けるモード指定部を更に備え、
前記制御部は、前記モード指定部で受けた指定に従って前記通常表示モードと前記省電力表示モードの切り替えを行う
ことを特徴とする［６］に記載の表示装置。
【００２５】
上記発明では、ユーザの指示によって通常表示モードと省電力表示モードを切り替える。ユーザが表示装置の消費電力を抑えたい場合に当該切り替えが可能であるので勝手がよい。
【００２６】
［８］電池を電源部として更に備え、
前記制御部は、前記電源部の残容量が所定値以上であれば、前記通常表示モードに、所定値未満であれば前記省電力表示モードに切り替える
ことを特徴とする［６］に記載の表示装置。
【００２７】
上記発明では、電池の残容量に応じて通常表示モードと省電力表示モードを切り替える。これにより、電池の残容量が所定値を下回ったら、表示部が消費する電力を抑え、書き換え可能な時間を延ばすことができる。
【００２８】
［９］前記制御部は、前記省電力表示モードで動作するときは、前記表示部に、前記省電力表示モードで動作していることを示す識別情報を表示させる
ことを特徴とする［６］乃至［８］のいずれか１つに記載の表示装置。
【００２９】
上記発明では、ユーザは、表示部に表示された識別情報を確認することで、現在、表示装置が通常表示モードであるか省電力表示モードであるかを判別することができる。これにより、たとえば、表示部に表示されている破線が、通常の線分（変換前の線分）なのか、ドットの少ない変換後の線分なのかを認識することができる。
【００３０】
［１０］所定の指示を受け付ける指示部を備え、
前記制御部は、前記指示部が所定の指示を受け付けたら、前記表示部に表示されている前記変換後の線分を、一時的に前記変換前の線分に戻して前記表示部に表示させる
ことを特徴とする［１］乃至［７］のいずれか１つに記載の表示装置。
【００３１】
上記発明では、所定の指示を受け付けたら、ドットの少ない変換後の線分を、通常の線分（変換前の線分）に一時的に戻す。これにより、ユーザは変換前の線分を確認することができる。所定の指示は、特定の操作の受け付けや、所定の釦の押下によって受け付ける。
【００３２】
［１１］表示内容の書き換えを行う際に、電力を消費し、非書き換え時には電力を消費しない表示部を備えた情報処理装置を、
前記表示部に表示させる入力データの示す各線分を、該入力データに従って表示する場合に比べてサイズが同じでドット数の少ない線分に変換して前記表示部に表示するように動作させる
ことを特徴とする表示プログラム。
【発明の効果】
【００３３】
本発明に係る表示装置、および表示プログラムによれば、文字や図形（線分）のサイズ（長さ）を維持しつつも、そのドット数を減らすことで視認性を損なうことなく書き換えに伴う消費電力を抑えることができる。
【図面の簡単な説明】
【００３４】
【図１】本発明の実施の形態に係る電子ペーパの一例を示す説明図である。
【図２】本発明の実施の形態に係る電子ペーパの概略構成を示すブロック図である。
【図３】通常表示モードの電子ペーパに手書き入力を行った場合の表示例を示す図である。
【図４】省電力表示モードの電子ペーパに手書き入力を行った場合の表示例（細線）を示す図である。
【図５】省電力表示モードの電子ペーパに手書き入力を行った場合の表示例（中抜き線）を示す図である。
【図６】省電力表示モードの電子ペーパに手書き入力を行った場合の表示例（破線）を示す図である。
【図７】省電力表示モードの電子ペーパに手書き入力を行った場合の表示例（薄色線）を示す図である。
【図８】入力データの示す線分を表示部に表示する際の処理を示す図である。
【図９】通常表示モード時と省電力表示モード時に第２表示エリアに表示される表示内容の例を示す図である。
【図１０】電子ペーパの電力消費に係るグラフを示す図である。
【図１１】省電力表示モード時に省エネ解除釦を押下した場合の様子を示す説明図である。
【図１２】省電力表示モード時に消しゴムをかけた場合の一例を示す図である。
【図１３】省電力表示モードに係る詳細な設定を行う画面を示す図である。
【図１４】電子ペーパが手書き入力を受け付けた場合に行う処理の流れを示す図である。
【図１５】電気泳動方式の表示部を採用する電子ペーパの構造の一例を示す図である。
【発明を実施するための形態】
【００３５】
以下、図面に基づき本発明の実施の形態を説明する。
【００３６】
図１は、本発明の電子ペーパ１０を示す。電子ペーパ１０は、持ち歩きが可能なＢ５サイズ程の矩形の平板形状を成した携帯端末である。電子ペーパ１０は表示部３１と操作部３２を含む操作表示部３０（図２参照）を備えている。
【００３７】
電子ペーパ１０は、外部端末から受信した画像や自装置の保有する画像等を背景画像とし、該背景画像の上に手書き入力の内容を重ねて表示する機能を有する。たとえば、電子ペーパ１０は、外部端末で作成された文書（背景画像）に対する校正を手書きで行う、といった用途に利用される。
【００３８】
本発明の実施の形態では、手書き入力の内容を示すデータを入力データと呼ぶ。電子ペーパ１０は、手書き入力による書き込みが行われたら、設定されている書式（線の太さ、線種等）と、その書き込みの軌跡を示すストロークデータに基づいて入力データを生成する。入力データが生成されたら、その入力データの示す線分が背景画像に重ねて表示される。以後、入力データの作成に使用される書式を入力用書式と呼ぶ。
【００３９】
本発明の電子ペーパ１０は２つの表示モードを持つ。一方は、入力データの示す線分を、該入力データに従って表示部３１に表示させる通常表示モードである。他方は、入力データの示す各線分を、該入力データに従って表示する場合に比べてサイズが同じで、書き換えるドット数の少ない線分に変換して表示部３１に表示させる省電力表示モードである。
【００４０】
省電力表示モードでは、たとえば、線の太さを細くする、実線を破線に置き換える、というように線の書式を、入力用書式からドットの少ない書式（以後、この変換後の書式を代替書式と呼ぶ）に変換する。具体的には、ＣＰＵ１１が入力データを、線分の書式が代替書式であるデータ（以後、このデータを変換データと呼ぶ）に変換し、この変換データの示す線分を表示する。入力データの示す線分のサイズ（長さ）を維持しつつも書き換えるドット数が減るので、通常表示モードに比べて書き換えに伴う消費電力を抑えることができる。
【００４１】
図２は、本発明の実施の形態に係る電子ペーパ１０の概略構成を示すブロック図である。電子ペーパ１０は、当該電子ペーパ１０の動作を統括的に制御する制御部としてのＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、画像処理部１５と、通信部１６と、電源ユニット１７と、電源状態監視部１８と、操作表示部３０とを備えている。
【００４２】
ＣＰＵ１１は、主にデータの送信・受信制御、データの格納、読み出し指示、後述の表示部３１への表示指示、ユーザからの操作指示の受け付け、指示判定等の電子ペーパ１０全体の制御を行う機能を有する。ＲＯＭ１２には、起動プログラムのほか、各種のプログラムが格納されており、ＣＰＵ１１が、ＲＯＭ１２に格納されているプログラムをＲＡＭ１３にロードし、このプログラムに従って各種の処理を実行することで、電子ペーパ１０としての各機能を実現する。また、ＲＯＭ１２には、電子ペーパ１０の一連の制御をＣＰＵ１１が実行するためのプログラムが格納されている。実施の形態では、ＣＰＵ１１は、入力データの生成や、入力データを変換データに変換する処理を行う。
【００４３】
ＲＡＭ１３は、プログラムのロードエリアのほか、ＣＰＵ１１がプログラムを実行する際に各種のデータを一時的に格納するワークエリアや、手書き入力を受けてＣＰＵ１１が生成する入力データを１ページ分記憶する描画メモリ４０（図８参照）として使用される。なお、描画メモリ４０に書きこまれた入力データがページ単位で確定された場合は、その入力データを１ページ分のイメージデータとして後述の不揮発メモリ１４に保存する。
【００４４】
不揮発メモリ１４は、電源をオフにしても記憶内容が破壊されないメモリ（フラッシュメモリ）であり、各種設定情報の保存などに使用される。本実施の形態ではさらに、ページ単位で確定された入力データ、電子ペーパ１０の制御で使用する設定情報等を格納する。
【００４５】
画像処理部１５は、表示メモリ４１（図８参照）を備えている。通常表示モードの場合は入力データが表示メモリ４１に格納され、省電力表示モードの場合は変換データが表示メモリ４１に格納される。表示メモリ４１に格納された入力データ（または変換データ）の示す線分は、表示部３１にて背景画像に重ねられて表示される。なお、画像処理部１５は、画像の拡大縮小、回転などの処理のほか、画像の分割、結合、圧縮、伸張等の処理も行う。
【００４６】
通信部１６は、ＬＡＮ（Local Area Network）などのネットワークを通じて、外部端末との間でデータを通信する機能を果たす。たとえば、背景画像となる画像のデータを外部装置から受信する。有線での通信を行う機能を果たしてもよい。
【００４７】
電源ユニット１７は、電子ペーパ１０を駆動する為の電源を供給する為の、所謂、電池である。アルカリ蓄電池、リチウムイオン電池等の二次電池等から構成される。
【００４８】
電源状態監視部１８は、電源ユニット１７の状態を監視し、供給可能な電力の残量（電池の残容量）がどのくらいあるのかを検知し、その検知した情報をＣＰＵ１１に通知する
【００４９】
操作表示部３０は、表示部３１と、操作部３２とを備えている。このうち操作部３２は、ページめくりボタンなどのスイッチ部３３とタッチパネル部３４とを備えている。表示部３１は、粒子移動型の電子ペーパで構成され、ＣＰＵ１１の指示に従って画像を表示する機能を果たす。なお、カラーフィルタを使用することでカラー表示にも対応可能になっている。表示部３１は縦横の行列状に画素を配列しており、所謂、ドットマトリクス型の表示装置である。
【００５０】
表示部３１は、ＣＰＵ１１に指定された背景画像を表示すると共に、該背景画像の上に、表示メモリ４１に格納された入力データ（変換データ）の示す線分を重ねて表示する。実施の形態では、表示部３１には、ユーザの操作によって表示内容の書き換えが行われる第１表示エリア７１と、ユーザの操作以外の要因に起因して表示内容の書き換えを行う第２表示エリア７０がある（図１参照）。第１表示エリア７１には、入力データの示す線分等が表示され、第２表示エリア７０には日付情報（カレンダ）、時刻、電池の残容量、無線電波強度などが表示される。なお、図面では、わかりやすくするために第２表示エリア７０は点線で囲んで示す。
【００５１】
タッチパネル部３４は、表示部３１上に設けられており、本発明における取得部としての役割を果たす。タッチパネル部３４は、タッチペンや指などで押下された表示部３１上のタッチ位置（座標位置）を検出する。ＣＰＵ１１は、継続的に検出されるタッチ位置の変化（操作情報）から、ユーザによる追記や、修正等の手書き入力を認識する。
【００５２】
なお、本発明の実施の形態では、ＣＰＵ１１が表示部３１の表示内容を制御する。表示部３１の表示内容の書き換えを行う場合、現在表示中の表示内容と書き換え後の表示内容とを比較し（たとえば、排他的論理和演算）、黒から白、または白から黒のように値が変化する画素だけを書き換える（値が変化するドットのみ反転させる）ように制御する。
【００５３】
次に、入力データおよび、変換データの示す線分（書き換えるドット数の少ない書式（太さ、線種）に変換された線分）について説明する。
【００５４】
図３の電子ペーパ１０は通常表示モードであり、ユーザから受け付けた手書き入力に係る内容を表示部３１に表示している。電子ペーパ１０は、手書き入力を受け付けたら、その書き込みの軌跡を示すストロークデータと入力用書式（設定されている書式）から入力データを生成する。入力データは、ストロークデータの示す手書きの軌跡を入力用書式が示す線種および線の太さの線分にして表したイメージデータである。
【００５５】
通常表示モードでは、その生成された入力データに従って線分を表示する。入力データに従って表示される線分を入力線と呼ぶ。図３では、電子ペーパ１０が入力線６０を表示している。
【００５６】
省電力表示モードでは、ＣＰＵ１１が入力データを変換データに変換し、この変換データの示す線分が表示される。変換データの示す線分を、代替線分と呼ぶ。代替書式は種々あり、図４〜図７はそのバリエーションを示す。図４〜図７では、省電力表示モードの電子ペーパ１０が入力データを変換データに変換した場合に、表示部３１に表示される代替線分（６１〜６４）を示す。
【００５７】
＜細線に変換＞
図４の電子ペーパ１０に表示されている代替線分６１は、図３の入力線６０に比べて細い線分である。たとえば、入力データの示す線分が太さ９ptの実線であっても、省電力表示モードでは、３ptの太さに変換された実線が表示部３１に表示される。
【００５８】
＜中抜き線に変換＞
図５の電子ペーパ１０に表示されている代替線分６２は、図３の入力線（実線）６０を中抜き線に変換した線分である。中抜きの部分は、ドットの書き換えが行われないので、その分書き換えるドット数が少なくなっている。
【００５９】
＜破線に変換＞
図６の電子ペーパ１０に表示されている代替線分６３は、図３の入力線（実線）６０を破線に変換した線分である。切れ目の部分は、ドットの書き換えが行われないので、その分書き換えるドット数が少なくなっている。
【００６０】
＜薄色線に変換＞
図７の電子ペーパ１０に表示されている代替線分６４は、図３の入力線６０を薄色線（グレーの線）に変換した線分である。実施の形態では、均一にドットを間引くことで線をグレー表示しており、その間引いた分だけ書き換えるドット数が少なくなっている。たとえば、省電力表示モード時には、入力データの示す黒の線分が、グレー色（薄色線）に変換されて表示部３１に表示される。
【００６１】
このように省電力表示モードでは、入力用書式の線分が図４〜図７のような代替書式の線分に変換されて表示される。ユーザは、予め代替書式（線種、線の太さ）を設定しておく。たとえば、ユーザにとって視認しやすい書式を代替書式として設定すればよい。当該設定操作を受け付ける操作表示部３０は、本発明における指定部としての機能を果たす。
【００６２】
なお、電子ペーパ１０は、省電力表示モード時には入力データを変換データに変換し、その変換データの示す線分を表示するが、手書き入力の内容を保存する場合には入力データ（変換されていないデータ）を保存する。ここでは、手書き入力で書き込まれた内容をページ単位のイメージデータとして保存する場合は、変換前のデータ（入力データ）を保存するようになっている。たとえば、図４〜図７のように、表示部３１には代替線分（６１〜６４）が表示されていても、図３の入力線６０が書き込まれた内容として保存される。
【００６３】
また、電子ペーパ１０は、この保存された入力データを読み出して、その入力データの示す線分を表示部３１に表示させることができる。そのときの表示モードが省電力表示モードであれば、その読み出した入力データを変換データに変換して、その変換データの示す線分が表示部３１に表示する。通常表示モードであれば、読み出した入力データの示す線分が表示される。
【００６４】
次に、入力データおよび変換データの示す線分を表示部３１に表示する処理を図８に基づいて説明する。なお、入力データおよび変換データの示す線分は、背景画像と合成されて表示部３１に表示されるが、当該合成の過程については省略して説明する。
【００６５】
タッチパネル部３４が手書き入力を受け付けたら、ＣＰＵ１１は、当該手書き入力に係るストロークデータを入力用書式に基づいてイメージデータに展開した入力データを作成する。現在の表示モードが通常表示モードであれば、作成された入力データを、表示メモリ４１と描画メモリ４０に書き込む（Ｓ１、Ｓ２）。
【００６６】
現在の表示モードが省電力表示モードであれば、ＣＰＵ１１は、当該手書き入力に係るストロークデータを代替書式に基づいてイメージデータに展開した変換データを作成する。そして、入力データは描画メモリ４０に書き込み（Ｓ２）、変換データは表示メモリ４１（Ｓ１）に書き込む。なお、変換データは入力データを変換して作成されてもよい。
【００６７】
その後、ＣＰＵ１１は、表示メモリ４１に書き込まれたイメージデータ（入力データもしくは変換データ）に基づいて、書き換えを行う部分の情報を表示部３１に送信し、表示部３１は、この情報に基づいて表示の書き換えを行う（Ｓ３）。
【００６８】
電子ペーパ１０は、手書き入力で書き込まれた内容をページ単位で保存する指示を受け付けたら、描画メモリ４０に格納されている入力データを、不揮発メモリ１４に保存する（Ｓ４）。
【００６９】
次に、不揮発メモリ１４に保存されている入力データを読み出して表示部３１に表示させる場合について説明する。ＣＰＵ１１は、不揮発メモリ１４から描画メモリ４０に、表示対象に指定されたページの入力データをロードする（Ｓ５）。
【００７０】
現在の表示モードが通常表示モードの場合は、ＣＰＵ１１は、描画メモリ４０にロードした入力データのコピーを表示メモリ４１に上書きする（Ｓ６）。現在の表示モードが省電力表示モードの場合は、ＣＰＵ１１は、描画メモリ４０にロードした入力データに画像解析をかけて線分を抽出し、該抽出した各線分を代替書式の線分に変換して変換データを作成する。そしてこの変換データを、表示メモリ４１に上書きする（Ｓ６）。
【００７１】
ＣＰＵ１１は、表示メモリ４１に書き込まれたイメージデータ（入力データもしくは変換データ）に基づいて、書き換えを行う部分の情報を表示部３１に送信し、表示部３１は、この情報に基づいて表示の書き換えを行う（Ｓ７）。
【００７２】
省電力表示モードでは、入力データに比べて書き換えるドット数が少ない変換データに従った表示が行われるので、書き換えを行う際の消費電力量を抑えることができる。
【００７３】
次に、省電力表示モードと通常表示モードをユーザが判別するための表示について説明する。ユーザが、電子ペーパ１０が通常表示モードと省電力表示モードのどちらの状態であるかを把握していないと、表示部３１に表示されている線分が、入力データの示す線分なのか、変換データの示す線分なのかを判別できなくなる場合がある。
【００７４】
たとえば、表示部３１に細い線が表示されている場合、ユーザは電子ペーパ１０が通常表示モードと省電力表示モードのどちらの状態であるかを把握していなければ、その表示内容が細い線に変換された変換データの示す線分であるのか、線の太さが細く設定されている入力データの示す線分であるのかを容易に判別することができない。そこで、省電力表示モードでは、省電力表示モードの状態であることをユーザが認識できるように第２表示エリア７０に専用のアイコンを、表示モードを判別するための識別情報として表示する。
【００７５】
図９は、通常表示モード時の第２表示エリア７０の表示例（図９（Ａ））と、省電力表示モード時の第２表示エリア７０の表示例（図９（Ｂ））を示す。図９（Ａ）では、左側から順番に日付情報、時刻、無線電波強度、電池の残容量情報の４項目が表示されている。
【００７６】
図９（Ｂ）では、日付情報、時刻、無線電波強度、電池の残容量情報の４項目に加えて、現在の表示モードが省電力表示モードであることを示す省電力アイコン７２が表示されている。ユーザはこの省電力アイコン７２の有無により、電子ペーパ１０が通常表示モードの状態にあるのか省電力表示モードの状態であるのかを判別することができる。当該判別が可能であれば、通常表示モード時には、ユーザは、表示部３１に表示されている内容から入力データの内容を確認することができる。また、省電力表示モード時には、ユーザは、表示部３１に表示されている内容と、入力データの内容とが異なることを認識することができる。
【００７７】
次に、通常表示モードと省電力表示モードの切り替えについて説明する。電子ペーパ１０は、ユーザの操作によって（手動による切り替え）、もしくは電池の残容量に応じて自動で通常表示モードと省電力表示モードの切り替えを行う。手動もしくは自動のいずれの方法で切り替えを行うかについての詳細は、後述する省電力表示モード詳細設定画面１００（図１３参照）にて説明する。
【００７８】
電池の残容量に応じて自動で切り替えを行う場合は、電池の残容量が所定の閾値を下回ったら通常表示モードから省電力表示モードに切り替える。図１０は、電子ペーパ１０が、電力を消費する様子の一例をグラフ（グラフ８０）で示す。グラフ８０では縦軸は電池の残容量を、横軸は書き換え回数（書き換えを行った回数）を示す。図１０では、所定の閾値を３０％とし、書き換え回数Ｔ０〜書き換え回数Ｔ１間は通常表示モードの状態、Ｔ１〜Ｔ３間は省電力表示モードの状態である。
【００７９】
書き換え回数が増えるに従って、電池の残容量が次第に減少し、書き換え回数Ｔ１の時点で、電池の残容量が３０％を下回るので、通常表示モードから省電力表示モードへの切り替えが行われる。その後、書き換え回数Ｔ３にて電池の残容量が尽きる。
【００８０】
なお、書き換え回数Ｔ２は、書き換え回数Ｔ１以降も通常表示モードを維持した場合に電池の残容量が尽きると予測される書き換え回数である。書き換え回数Ｔ１の時点で、通常表示モードから省電力表示モードへ切り替えた場合は、書き換え回数Ｔ１以降も通常表示モードを維持した場合に比べて、（書き換え回数Ｔ３−書き換え回数Ｔ２）だけ書き換え可能な回数が増える。
【００８１】
このように、電池の残容量が所定値を下回った場合に省電力表示モードに自動的に切り替わるようにすれば、電子ぺーパ１０を利用可能な時間が延長される。
【００８２】
次に、ユーザが、手書き入力による入力中に、入力内容の確認や、修正を行う場合について説明する。
【００８３】
＜入力内容の確認＞
図１１は、ユーザが、省電力表示モードの電子ペーパ１０に対して手書き入力を行っている途中で、入力内容の確認を行う場合の様子を示す。省電力表示モード時には、ＣＰＵ１１は、入力内容である入力データを変換データに変換し、その変換データの示す線分（代替線分）を表示部３１に表示させる。ユーザが、入力データの示す線分（入力線）を一時的に確認したい場合、省エネ解除釦７３（図１１参照）を押下することで、当該表示部３１に表示されている代替線分を入力線に変更させることができる。省エネ解除釦７３は、省電力表示モードであっても表示内容を、一時的に代替線分から入力線に変更させる為の釦である。省エネ解除釦７３は、本発明の指示部としての機能を果たす。なお、省エネ解除釦７３が押下されたときに、代替線分から入力線に変更される画像は、直近に手書き入力された画像のみであることが好ましいが、電子ペーパ１０に表示されている、手書き入力された全ての画像について、代替線分から入力線への変更を行なっても良い。
【００８４】
図１１（Ａ）は、省エネ解除釦７３の押下前の様子（図４のように細線表示中）を、図１１（Ｂ）は、省エネ解除釦７３の押下後の様子を示す。図１１（Ａ）では代替線分６１が表示部３１に表示されているが、省エネ解除釦７３が押下された状態を示す図１１（Ｂ）では、入力線６０が表示部３１に表示されている。
【００８５】
なお、電子ペーパ１０は、省エネ解除釦７３が押下されて代替線分を、入力線に変更した後は、入力データがページ単位で確定し保存されるまでは、新たな書き込みに係る線分も、書式を変換せずに（入力用書式で）表示する。入力データがページ単位で確定された後は、新たな書き込みに係る線分は代替線分で表示する。
【００８６】
これにより、ユーザは、電子ペーパ１０が省電力表示モードで動作している場合でも、表示内容を入力データに従った内容に一時的に変更させることで、その内容を確認することができる。
【００８７】
＜入力内容の修正＞
図１２は、ユーザが省電力表示モードの電子ペーパ１０に対して手書き入力を行っている途中で、入力内容を修正する場合の様子を示す。ユーザが、電子ペーパ１０に対して手書き入力を行っている途中で、入力内容の一部を消去したい場合、ユーザは消しゴム釦７４（図１２参照）を押下することで、消しゴム機能（消しゴムツール）をＯＮにすることができる。消しゴム機能がＯＮの状態では、表示部３１（タッチパネル部３４）に表示されている過去の入力内容において、ユーザが消しゴムをかけた部分が消去される。
【００８８】
電子ペーパ１０では、省電力表示モード時の表示内容（代替書式の線分）に対して消しゴムをかける場合、たとえば代替線分が入力線よりも細い線であれば、表示上の線が消去されたら、描画メモリ４０内の元データ上では、線分の長さ方向の消された範囲について線幅全体を消去する。図１２では、代替線分６１を例に、省電力表示モード時の表示内容に対して消しゴムをかける様子を示す。図１２（Ａ）は代替線分６１に対して消しゴムをかける様子を、図１２（Ｂ）は図１２（Ａ）にて消しゴムがかけられた場所に対応する入力データ上の部分が消去される様子を示す。
【００８９】
また、代替線分が入力線よりも細い線の場合、代替線分の周囲の部分、すなわち入力データ上ではドットが存在するが、表示上ではドットが無い部分に消しゴムをかけても、入力データ上において当該消しゴムがかけられた部分は消去されない。ドットが表示されていない部分にかけた消しゴムによって、入力データ上のそのドットが存在する部分が消されることが無いため、ユーザが視認している線分に対して消しゴムをかける動作と、入力データ上での修正処理が一致する。
【００９０】
このように、ユーザは、電子ペーパ１０が省電力表示モードであっても、表示中のデータ（変換データ）への修正を行うことで、通常表示モードで表示させている場合と同様の操作感覚で入力データを修正することができる。
【００９１】
なお、代替線分が中抜き線の場合は、中抜き部分のみに消しゴムがかけられたら、入力データ上におけるその部分を消去するようにしてもよい。代替線分が破線の場合は、切れ目の部分に消しゴムがかけられたら、入力データ上におけるその部分を消去するようにしてもよい。
【００９２】
次に、ユーザが省電力表示モードに係る詳細な設定を行う場合について説明する。図１３は、該詳細な設定を行う画面である省電力表示モード詳細設定画面１００を示す。
【００９３】
省電力表示モード詳細設定画面１００では、ユーザは、通常表示モードと省電力表示モードの切り替え方法（手動による切り替え、電池の残容量による自動切り替え）に係る設定と、代替書式（線種や、線の太さ）に係る設定を行うことができる。
【００９４】
＜通常表示モードと省電力表示モードの切り替え方法に係る設定＞
省電力表示モード詳細設定画面１００の上部には、通常表示モードと省電力表示モードの切り替え方法を示す文字列と円形のラジオボタンとから成る選択項目１１０〜１１２が表示されている。ユーザは、選択項目１１０〜１１２のうちのいずれかのラジオボタンを選択する。各ラジオボタンは、選択されている状態では内に黒円が表示され、選択されていない状態では白抜きで表示される。
【００９５】
選択項目１１０には「省電力表示モードを使用しない」の文字列が、選択項目１１１には「省電力表示モードを使用する」の文字列が、選択項目１１２には「省電力表示モードに自動で切り替え」の文字列が表示されている。ユーザは手動で省電力表示モードをＯＦＦにする場合は選択項目１１０のラジオボタンを選択する。ユーザは手動で省電力表示モードをＯＮにする場合は選択項目１１１のラジオボタンを選択する。ユーザは電池の残容量に応じて自動で通常表示モードから省電力表示モードへの切り替えを行わせる場合は選択項目１１２のラジオボタンを選択する。当該選択を受け付ける操作表示部３０は、本発明におけるモード指定部としての機能を果たす。
【００９６】
なお、選択項目１１２のラジオボタンを選択した場合には、ユーザは、その切り替えの基準となる電池の残容量の閾値（パーセンテージで表示される）を閾値項目１１３に設定する。
【００９７】
＜代替書式に係る設定＞
省電力表示モード詳細設定画面１００には、代替線分の線種のサンプルと、円形のラジオボタンとから成る選択項目１２０〜１２３が表示されている。ユーザは、選択項目１２０〜１２３のうちのいずれかのラジオボタンを選択する。各ラジオボタンは、選択されている状態では内に黒円が表示され、選択されていない状態では白抜きで表示される。
【００９８】
選択項目１２０には細線のサンプルが、選択項目１２１には破線のサンプルが、選択項目１２２には中抜き線のサンプルが、選択項目１２３には薄色線のサンプルが表示されている。ユーザは各サンプルを参照し、希望する線種に対応する選択項目（１２０〜１２３）のラジオボタンを択一的に選択する。
【００９９】
また、破線、中抜き線、薄色線のいずれかを代替線分の線種とする場合、その線分の太さを設定することも可能である。ユーザは、選択項目１２３の下に表示されている線幅項目１２４を選択し、表示する線の太さを数値で入力する。なお、細線は線の太さは予め規定値に設定されており、（細線を代替線分とする場合は）、線幅項目１２４に入力されている数値に係らずその規定値が細線の太さにされる。線幅項目１２４に有効な数値が設定されない場合は、細線以外の代替線分の太さとして、入力用書式で設定されている線の太さを採用する。
【０１００】
電子ペーパ１０は、省電力表示モード詳細設定画面１００の下部にある確定釦１０１が押下されたら、省電力表示モード詳細設定画面１００にて選択された（設定された）内容を確定する。また、省電力表示モード詳細設定画面１００の下部にあるキャンセル釦１０２が押下されたら、
選択された内容を破棄し設定を終了する。
【０１０１】
図１４は、電子ペーパ１０が、手書き入力を受け付けてから、その手書き入力に係る入力データを保存するまでの処理の流れを示すフローチャートである。ＣＰＵ１１は、ＲＯＭ１２等に格納されているプログラムに基づいて図１４のフローチャートに示す処理を実行する。
【０１０２】
図１４を参照して、まず、タッチパネル部３４で手書き入力を受け付けたら（ステップＳ１０１）、ＣＰＵ１１は、現在の表示モードが省電力表示モードであるか否かを調べる（ステップＳ１０２）。
【０１０３】
省電力表示モードでなければ（ステップＳ１０２；Ｎｏ）、すなわち、通常表示モードであれば、ＣＰＵ１１は、手書き入力で受け付けた書き込みの軌跡を示すストロークデータを入力用書式に基づいてイメージデータに展開し入力データを生成する。そして、その入力データを描画メモリ４０に書き込みつつ、その入力データの示す線分を表示部３１に表示させる（ステップＳ１０６）。具体的には、ＣＰＵ１１は、入力データを表示メモリ４１書き込み、この書き込んだ入力データに基づいて書き換え場所の情報を表示部３１に送信し、表示部３１はこの情報に基づいて表示内容の書き換えを行うことで入力データの示す線分が表示部３１に表示される。その後ステップＳ１０７に進む。
【０１０４】
一方、省電力表示モードである場合も（ステップＳ１０２；Ｙｅｓ）、まず、ＣＰＵ１１は、手書き入力で受け付けた書き込みの軌跡を示すストロークデータを入力用書式に基づいてイメージデータに展開し入力データを生成して描画メモリ４０に書き込む。また、ＣＰＵ１１は、手書き入力で受け付けた書き込みの軌跡を示すストロークデータを代替書式に基づいてイメージデータに展開し変換データを生成し、その変換データを表示メモリ４１に書き込みつつ、表示部３１には変換データの示す線分を表示させる（ステップＳ１０３）。具体的には、ＣＰＵ１１は、変換データを表示メモリ４１に書き込み、この書き込んだ変換データに基づいて書き換え場所の情報を表示部３１に送信し、表示部３１はこの情報に基づいて表示内容の書き換えを行うことで変換データの示す線分が表示部３１に表示される。代替書式に係る詳細は省電力表示モード詳細設定画面１００で予め設定しておく。
【０１０５】
その後、省エネ解除釦７３（図１１参照）が押下されたら（ステップＳ１０４；Ｙｅｓ）、描画メモリ４０に格納されているイメージデータ（入力データ）を表示メモリ４１に上書きし、表示部３１に入力データの示す線分を表示する（ステップＳ１０５）。ここでは、ＣＰＵ１１が、表示メモリ４１に上書きされた内容に基づいて書き換え場所の情報を表示部３１に送信し、表示部３１はこの情報に基づいて表示内容の書き換えを行うことで入力データの示す各線分が表示部３１に表示される。
【０１０６】
省エネ解除釦７３が押下されなければ（ステップＳ１０４；Ｎｏ）、そのまま、表示部３１に変換データの示す各線分の表示を継続する。
【０１０７】
入力データをページ単位で確定し保存する操作を受け付けたら（ステップＳ１０７；Ｙｅｓ）、描画メモリ４０に格納されている入力データをページ単位のイメージデータとして確定し不揮発メモリ１４に保存して（ステップＳ１０８）処理を終了する。当該入力データをページ単位で確定し保存する操作を受け付けるまでは（ステップＳ１０７；Ｎｏ）、ステップＳ１０２に戻って処理を継続する。なお、ページの切り替え操作を受けた場合も、入力データをページ単位で確定し保存する操作を受けた場合と同様に、描画メモリ４０に格納されている入力データがページ単位に不揮発メモリ１４へ保存される。
【０１０８】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０９】
本発明の実施の形態では、手書き入力によって作成されるデータのみを入力データとし、そのデータの示す線分を代替線分に変換していたが、外部から入力される文章や図形などのデータ（背景画像も含む）も入力データとし、該データの示す線分を代替線分に変換して表示してもよい。また、第２表示エリア７０に表示される表示内容についても、代替線分のように、サイズが同じで書き換えるドット数の少ない形態に変換して表示してもよい。
【０１１０】
外部から入力される文書や図形などのデータを変換データに変換する場合、当該データの示す画像に画像解析をかけて抽出された線分を代替線分に変換すればよい。文字の場合は、文字コードをフォントデータに基づいてイメージに展開して得た画像に画像解析をかけて、抽出された線分を、代替線分に変換すればよい。これにより、特別なフォントを用意することなく、文字コードで表されたデータについても省エネ表示モードで表示することができる。
【０１１１】
たとえば、外部から複数ページ分の入力データが入力された場合、該入力データは、まず、不揮発メモリ１４に記憶される。そして、ページの切り替え操作（ページ送り操作）を受けると、対応するページの入力データが不揮発メモリ１４から読み出されて表示される。このとき、表示モードが省電力表示モードであれば、不揮発メモリ１４から読み出した入力データの画像に画像解析をかけて線分を抽出し、この抽出された線分を代替線分に変換して表示する。
【０１１２】
外部から入力データが入力される場合、当該入力データを受信する通信部１６が本発明における取得部としての機能を果たす。
【０１１３】
本発明の実施の形態では、電子ペーパ１０は、通常表示モードと省電力表示モードを切り替えが可能であったが、当該２つの表示モードを用意することなく、常に省電力表示モードの状態である電子ペーパであってもよい。
【０１１４】
本発明の実施の形態では、描画メモリ４０に格納された入力データをページ単位のイメージデータとして不揮発メモリ１４に保存していたが、入力データを生成する前のストロークデータを入力データの代わりに不揮発メモリ１４に保存してもよい。この場合、ストロークデータとともに、当該ストロークデータに係る書き込みが行われた際の書式の設定情報も保存しておく。
【０１１５】
本発明の実施の形態では電子ペーパ１０を表示装置の例として説明したが、表示装置はこれに限らず、表示内容の書き換えを行う際に、電力を消費し、非書き換え時には電力を消費しない表示部を備えた装置であればよい。手書き入力機能がなくてもよい。また、本発明は、表示内容の書き換えを行う際に、電力を消費し、非書き換え時には電力を消費しない表示部を備えた情報処理装置を動作させる表示プログラムとして構成されてもよい。
【０１１６】
本発明の実施の形態では、省電力表示モードであることを省電力アイコンの有無によってユーザに通知したが、音声による通知等でもよい。ユーザが省電力表示モードと通常表示モードを判別できればよい。
【０１１７】
本発明の実施の形態では、省エネ解除釦７３が押下されたら、変換データの表示から入力データの表示に変更していたが、釦以外にも、所定の操作、外部装置からの指示などで当該変更を行ってもよい。また、省エネ解除釦７３が押下されたら、入力データをページ単位のイメージデータとして確定するまで、新たに入力される内容も入力用書式で表示していたが、新たに入力される内容は代替書式で表示してもよい。つまり、省エネ解除釦７３が押下されるまでに書き込まれた内容のみ入力用書式の表示に変更し、その押下以後に書き込まれる内容は代替書式で表示してもよい。
【符号の説明】
【０１１８】
１０…電子ペーパ
１１…ＣＰＵ
１２…ＲＯＭ
１３…ＲＡＭ
１４…不揮発メモリ
１５…画像処理部
１６…通信部
１７…電源ユニット
１８…電源状態監視部
３０…操作表示部
３１…表示部
３２…操作部
３３…スイッチ部
３４…タッチパネル部
４０…描画メモリ
４１…表示メモリ
５１…前面板
５２…電極板
５３…黒の電子粉流体
５４…白の電子粉流体
６０…入力線
６１…代替線分
６２…代替線分
６３…代替線分
６４…代替線分
７０…第２表示エリア
７１…第１表示エリア
７２…省電力アイコン
７３…省エネ解除釦
７４…消しゴム釦
８０…グラフ
１００…省電力表示モード詳細設定画面
１０１…確定釦
１０２…キャンセル釦
１１０…選択項目
１１１…選択項目
１１２…選択項目
１１３…閾値項目
１２０…選択項目
１２１…選択項目
１２２…選択項目
１２３…選択項目
１２４…線幅項目
【図２】
2014197151.tif 000003
【図８】
2014197151.tif 000004
【図１０】
2014197151.tif 000005
【図１４】
2014197151.tif 000006
【図１】
2014197151.tif 000007
【図３】
2014197151.tif 000008
【図４】
2014197151.tif 000009
【図５】
2014197151.tif 000010
【図６】
2014197151.tif 000011
【図７】
2014197151.tif 000012
【図９】
2014197151.tif 000013
【図１１】
2014197151.tif 000014
【図１２】
2014197151.tif 000015
【図１３】
2014197151.tif 000016
【図１５】
2014197151.tif 000017